(57)【要約】      （修正有） 【課題】スーツケースを使用して移動している際に、小物を手に持たずにハンドフリーな状態で気軽に移動できるスーツケースベルトを提供する。【解決手段】スーツケースベルト１０にあっては、ベルト本体１１は幅寸法５０ｍｍに形成され、ベルト本体１１の一部には物品固定部が形成されている。物品固定部においては、ベルト本体１１、１１が厚さ方向において二重に配置されると共に、上記二重に配置されたベルト本体１１、１１は厚さ方向において相互に離間して、その間に物品を固定しうるように構成されている。上記物品固定部は、２つの互いに隣接する長寸部１３、１４と短寸部１５とにより構成されている。上記物品固定部は、ベルト本体１１の幅方向に沿って形成された縫合部により画成されて形成されている。【選択図】図２
0003170559.tif 000002
【実用新案登録請求の範囲】
【請求項１】
所定幅のベルト本体には、ベルト本体が厚さ方向において二重に配置されると共に、上記二重に配置されたベルト本体の間には、相互に離間して間に物品を固定しうる物品固定部が形成されうることを特徴とするスーツケースベルト。
【請求項２】
上記ベルト本体は、弾性を有して形成されていることを特徴とする請求項１記載のスーツケースベルト。
【請求項３】
上記物品固定部は、長寸部と短寸部とにより構成されていることを特徴とする請求項２記載のスーツケースベルト。
【請求項４】
上記物品固定部は、ベルト本体の幅方向に沿って形成された縫合部により画成されていることを特徴とする請求項３記載のスーツケースベルト。
【考案の詳細な説明】
【技術分野】
【０００１】
本考案は、スーツケースベルトの改良に関する。
【背景技術】
【０００２】
従来より、スーツケースの外部に巻きつけて、不測の衝撃があった場合であっても、スーツケースが開かないように固定するためのスーツケースベルトが使用されている。
このようなスーツケースベルトは、アクリルやポリプロピレン等の繊維からなる糸を編み込んで形成されたベルト本体と、ベルト本体に摺動可能に固定された連結具と、両端部を係合固定する係合具とを備えている。
【０００３】
ところで、スーツケースを使用する場合は、国内又は海外の出張や旅行時であり、空港等においてスーツケースを搬送しながら移動している場合には、往々にして、飲み物、新聞、雑誌等の小物を同時に手で保持している場合が多い。
【０００４】
このような小物を一方の手に持ちつつ他方の手でスーツケースを引っ張りながら移動することは時として煩雑であることから、そのような小物を手に持たずに移動したい、という要請があった。
【０００５】
このような観点から出願人は過去の文献を調査し、下記の公開特許公報を抽出したが、本件公開公報所載の技術は上記の要請に応えられる技術ではない。
【特許文献１】特開２００３−３２５２３号公報
【考案の開示】
【考案が解決しようとする課題】
【０００６】
本考案はこのような従来からの不具合を解決するためのものであって、その課題は、スーツケースを使用して移動している際に、小物を手に持たずにハンドフリーな状態で気軽に移動できるようにすることにある。
【課題を解決するための手段】
【０００７】
上記課題達成のため、請求項１記載の考案にあっては、所定幅のベルト本体には、ベルト本体が厚さ方向において二重に配置されると共に、上記二重に配置されたベルト本体の間には、相互に離間して間に物品を固定しうる物品固定部が形成されることを特徴とする。
【０００８】
従って、請求項１記載の考案にあっては、スーツケースの外部に巻きつけて固定した場合に、上記物品固定部において、二本のベルト本体により挟んで各種の物品を固定することができる。
【０００９】
請求項２記載の考案にあっては、上記ベルト本体は、弾性を有して形成されていることを特徴とする。
従って、請求項２記載の考案にあっては、スーツケースの外部に巻き付けて固定する場合に、弾性を有することからスーツケースを締め付け固定することができると共に、上記物品固定部内に各種の物品を固定する場合には、各種の物品を締め付け固定することができる。
【００１０】
請求項３記載の考案にあっては、上記物品固定部は、長寸部と短寸部とにより構成されていることを特徴とする。
従って、請求項３記載の考案にあっては、長寸部には比較的大きなものを固定することができ、短寸部には小さなものを固定することができる。
【００１１】
請求項４記載の考案にあっては、上記物品固定部は、ベルト本体の幅方向に沿って形成された縫合部により画成されていることを特徴とする。
【考案の効果】
【００１２】
請求項１記載の考案にあっては、所定幅のベルト本体には、ベルト本体が厚さ方向において二重に配置されると共に、上記二重に配置されたベルト本体の間には相互に離間して間に物品を固定しうる物品固定部が形成されうることから、スーツケースの外部に巻きつけて固定した場合に、上記物品固定部に各種の物品を固定することができ、例えば、空港等において一方の手でスーツケースを引っ張る等して搬送している際に、手に持つ必要がある小物、例えば、ペットボトル、新聞、雑誌等を２本のベルト本体の間に挟むことにより、上記物品固定部内に固定し、スーツケース外部に固定した状態で移動することができる。
【００１３】
従って、スーツケースを搬送している手以外の手をフリーにすることができるため、非常に軽快、快適に移動をすることができる。また、小物は、上記のようにスーツケース外部に固定されていることから、必要な場合には即座に物品固定部から取り出して使用することができる。
【００１４】
請求項２記載の考案にあっては、上記ベルト本体は、スーツケースの外部に巻き付けて固定する場合に、弾性を有することからスーツケースを締め付け固定することができると共に、上記物品固定部内に各種の物品を固定する場合に、各種の物品を締め付け固定することができる。
【００１５】
その結果、請求項１記載の考案に効果に加えて、様々な小物を物品収納部に落下することがないように確実に固定することができる。
【００１６】
請求項３記載の考案にあっては、上記物品固定部は、長寸部と短寸部とにより構成されており、長寸部には比較的大きなものを固定することができ、短寸部には小さなものを固定することができることから、物品の大きさに応じて、適切に固定してスーツケースと共に搬送することができる。
【００１７】
請求項４記載の考案にあっては、上記物品固定部は、ベルト本体の幅方向に沿って形成された縫合部により画成されていることから、コストを嵩ませることなく物品固定部を形成することができる。
【図面の簡単な説明】
【００１８】
【図１】本考案に係るスーツケースベルトの一実施の形態を示す平面図である。
【図２】本考案に係るスーツケースベルトの一実施の形態を示し、スーツケースに装着し、小物を収納させた状態を示す斜視図である。
【考案を実施するための最良の形態】
【００１９】
以下、添付図面に示す実施の形態に基づき、本考案を詳細に説明する。
図１に示すように、本実施の形態に係るスーツケースベルト１０にあっては、ベルト本体１１は幅寸法５０ｍｍに形成され、ベルト本体１１の一部には物品固定部１２が形成されている。
物品固定部１２においては、ベルト本体１１、１１が厚さ方向において二重に配置されると共に、上記二重に配置されたベルト本体１１、１１は厚さ方向において相互に離間して、その間に物品を固定しうるように構成されている。
【００２０】
上記物品固定部１２は、２つの互いに隣接する長寸部１３、１４と短寸部１５とにより構成されている。上記物品固定部１２は、ベルト本体１１の幅方向に沿って形成された縫合部２２により画成されて形成されている。
【００２１】
本実施の形態にあっては、上記長寸部１３、１４は、例えば、ペットボトルや新聞を、ベルト本体１１、１１固の間に固定できるように９０ｍｍの長さに形成されると共に、短寸部１５は、例えば、ボールペン等の筆記具を固定することができるように２０ｍｍの長さに形成されている。
【００２２】
上記ベルト本体１１は、所定幅の細長ベルト状に形成され、長さ方向に沿って弾性を有して形成されている。例えば、アクリル、ポリプロピレン等の繊維にゴム素材を編み込んで形成されている。
【００２３】
従って、ベルト本体１１は、特に、長さ方向において弾性を以て伸長することから、確実にスーツケース１６の外部においてスーツケース１６を締め付け固定することができる。
【００２４】
また、本実施の形態に係るスーツケースベルト１０にあっては、ベルト本体１１にはリング部材２３が装着され、適宜長さ調節ができると共に、両端部にはファスナー部材１７、１８が取り付けられている。
【００２５】
以下、本実施の形態に係るスーツケースベルト１０の作用について説明する。
本実施の形態に係るスーツケースベルト１０を使用する場合には、図２に示すように、例えば、スーツケース１６の胴部に巻きつけ、上記ファスナー部材１７、１８を互いに係合させて固定する。
【００２６】
そして、移動の際には、各種小物を上記物品固定部１２において、二重に形成されているベルト本体１１、１１を互いに厚さ方向に離間させて形成した空隙に各種物品を挟み込むことにより手軽に固定することができる。
【００２７】
例えば、ボールペン１９は上記短寸部１５に収納し、ペットボトル２０は一方の長寸部１４に固定し、新聞２１は他方の長寸部１３に固定する。
【００２８】
また、このように固定した各物品１９、２０、２１は、必要な際には、上記ベルト本体１１、１１を引っ張ることにより容易に抜き出すことができる。
【００２９】
なお、本実施の形態にあっては、物品固定部１２が、２つの長寸部と一つの短寸部により構成されている場合を例に説明したが、物品固定部の具体的構成は上記実施の形態には限定されない。
【符号の説明】
【００３０】
１０  スーツケースベルト
１１  ベルト本体
１２  物品固定部
１３  長寸部
１４  長寸部
１５  短寸部
１６  スーツケース
１７  ファスナー部材
１８  ファスナー部材
１９  ボールペン
２０  ペットボトル
２１  新聞
２２  縫合部
２３  リング部材
【図１】
0003170559.tif 000003
【図２】
0003170559.tif 000004